(57)【要約】【課題】工具類その他の金属製物品を収納する収納部材の内部に水分が入り込んでも、工具類が錆びることを防止することができるツールホルダーを提供する。【解決手段】ツールホルダー１００は、物品を収納する収納スペース１０７を有する収納部１０４を備えている。収納部１０４は通水性を有する素材からなり、収納部１０４の底面上には、通水性及び剛性を有する底面部材１１０が配置されている。【選択図】図１
2007130717.tif 000002
【特許請求の範囲】
【請求項１】
物品を収納する収納スペースを有する収納部を備えたツールホルダーであって、
前記収納部のうち少なくとも底面は通水性を有する素材からなり、
前記収納部の前記底面上には、通水性及び剛性を有する底面部材が配置されていることを特徴とするツールホルダー。
【請求項２】
物品を収納する収納スペースを有する収納部を備えたツールホルダーであって、
前記収納部のうち少なくとも底面は通水性を有する素材からなり、
前記収納部の前記底面上には、通水性及び剛性を有する底面部材が配置され、
前記底面部材上には、通水性を有する素材からなるカバー部材が配置されていることを特徴とするツールホルダー。
【請求項３】
前記カバー部材は前記収納部を構成する素材と同一の素材からなることを特徴とする請求項２に記載のツールホルダー。
【請求項４】
前記収納部のうち前記底面を除く部分が通水性を有することを特徴とする請求項１乃至３の何れか一項に記載のツールホルダー。
【請求項５】
物品を収納する収納スペースを有する収納部を備えたツールホルダーであって、
前記収納部のうち底面は通水性を有しない素材からなり、
前記収納部のうち前記底面を除く部分が通水性を有する素材からなることを特徴とするツールホルダー。
【請求項６】
物品を収納する収納スペースを有する収納部を備えたツールホルダーであって、
前記収納部のうち底面は通水性を有しない素材からなり、
前記収納部のうち使用者に当接する領域は通水性を有しない素材からなり、
前記収納部のうち前記底面及び前記領域を除く部分が通水性を有する素材からなることを特徴とするツールホルダー。
【発明の詳細な説明】
【技術分野】
【０００１】
本発明は、工具類その他の物品を収納した状態で腰に吊り下げ、工具類その他の物品を持ち運ぶツールホルダーに関する。
【背景技術】
【０００２】
工具類その他の重量物を収納した状態で使用者の腰に吊り下げて用いるツールホルダーとしては、これまでに、多数のものが提案されている。
【０００３】
その一例を図５及び図６に示す。
【０００４】
図５は、登録実用新案公報第３０７７０５６号に記載されたツールホルダーの斜視図、図６は、図５に示したツールホルダーの縦断面図である。
【０００５】
図５及び図６に示すツールホルダー１は、化学繊維製の布材からなるホルダ本体２を有しており、ホルダ本体２には装着部３とホルダ部４とが形成されている。
【０００６】
ホルダ部４は、ホルダ本体２の外面側にホルダ本体２と同じ化学繊維製の布材からなる収納部材４Ｄを形成しており、この収納部材４Ｄの外側には繊維製のメッシュ材からなる収納ポケット５Ｃが設けられている。
【０００７】
装着部３は、ホルダ本体２の長手方向における上端側を折り曲げて、ホルダ本体２の反対面側にリベットその他の固定手段６により固定することにより扁平なリング状となっている。
【０００８】
ホルダ本体２は、化学繊維製の非吸水性で高強度の織布、不織布または編布からなることが好ましく、具体的には、高硬度ナイロン織布、ポリエステル織布、ポリ塩化ビニル織布などからなる。
【０００９】
図５及び図６に示すツールホルダー１は次のようにして用いられる。
【００１０】
まず、ツールホルダー１を装着する際には、扁平リング状の装着部３をベルトに挿通することにより、使用者の腰部に装着する。次いで、工具類その他の物品を収納部材４Ｄの中に収納するとともに、頻繁に使用する工具あるいは部品類などは収納ポケット５Ｃに分別して収納する。このため、必要に応じて、収納部材４Ｄまたは収納ポケット５Ｃに収納された工具類その他の物品を取り出して使用することができる。
【特許文献１】登録実用新案公報第３０７７０５６号（図７及び図８）
【発明の開示】
【発明が解決しようとする課題】
【００１１】
上述のように、ホルダ本体２は、化学繊維製の非吸水性で高強度の織布、不織布または編布からなり、収納部材４Ｄはホルダ本体２と同じ化学繊維製の布材からなっている。
【００１２】
このように、収納部材４Ｄは非吸水性の素材からなるものであるため、収納部材４Ｄの中に水分（例えば、雨水）が入り込むと、その水分は収納部材４Ｄを通過して、外部に排出されることはなく、蒸発するまで、収納部材４Ｄの内部に留まることになる。
【００１３】
収納部材４Ｄの中には工具類を収納することが多い。工具類は金属製であるため、収納部材４Ｄの中に水分が存在すると、工具類が錆びる原因となる。特に、気温の低い時期においては、収納部材４Ｄの中に入り込んだ水分が蒸発するまでに多くの時間を要するため、工具類が錆びる原因となりやすい。
【００１４】
本発明は、このような従来のツールホルダーにおける問題点に鑑みてなされたものであり、工具類その他の金属製物品を収納する収納部材の内部に水分が入り込んでも、工具類が錆びることを防止することができるツールホルダーを提供することを目的とする。
【課題を解決するための手段】
【００１５】
以下に、「発明の実施の形態」において使用される参照符号を用いて、上述の課題を解決するための手段を説明する。これらの参照符号は、「特許請求の範囲」の記載と「発明の実施の形態」の記載との間の対応関係を明らかにするためにのみ付加されたものであり、「特許請求の範囲」に記載されている発明の技術的範囲の解釈に用いるべきものではない。
【００１６】
本発明は、物品を収納する収納スペース（１０７）を有する収納部（１０４）を備えたツールホルダー（１００）であって、前記収納部（１０４）のうち少なくとも底面（１０４ａ）は通水性を有する素材からなり、前記収納部（１０４）の底面（１０４ａ）上には、通水性及び剛性を有する底面部材（１１０）が配置されていることを特徴とするツールホルダー（１００）を提供する。
【００１７】
また、本発明は、物品を収納する収納スペース（１０７）を有する収納部（１０４）を備えたツールホルダー（２００）であって、前記収納部（１０４）のうち少なくとも底面（１０４ａ）は通水性を有する素材からなり、前記収納部（１０４）の底面（１０４ａ）上には、通水性及び剛性を有する底面部材（１１０）が配置され、前記底面部材（１１０）上には、通水性を有する素材からなるカバー部材（２１０）が配置されていることを特徴とするツールホルダー（２００）を提供する。
【００１８】
カバー部材（２１０）は前記収納部（１０４）を構成する素材と同一の素材からなることが好ましい。
【００１９】
また、前記収納部（１０４）のうち前記底面（１０４ａ）を除く部分が通水性を有するものとして構成することも可能である。
【００２０】
さらに、本発明は、物品を収納する収納スペース（１０７）を有する収納部（１０４）を備えたツールホルダー（３００）であって、前記収納部（１０４）のうち底面（１０４ａ）は通水性を有しない素材からなり、前記収納部（１０４）のうち前記底面（１０４ａ）を除く部分が通水性を有する素材からなることを特徴とするツールホルダー（３００）を提供する。
【００２１】
さらに、本発明は、物品を収納する収納スペース（１０７）を有する収納部を備えたツールホルダー（４００）であって、前記収納部（１０４）のうち底面（１０４ａ）は通水性を有しない素材からなり、前記収納部（１０４）のうち使用者に当接する領域（１０４ｂ）は通水性を有しない素材からなり、前記収納部（１０４）のうち前記底面（１０４ａ）及び前記領域（１０４ｂ）を除く部分が通水性を有する素材からなることを特徴とするツールホルダー（４００）を提供する。
【発明の効果】
【００２２】
収納部が形成している収納スペースには、金属製の工具類その他の各種物品が収納される。収納スペースの内部には、雨水その他の水分が入り込むことがあるが、（１）底面部材及び収納部の底面の各々、（２）カバー部材、底面部材及び収納部の底面の各々、（３）収納部のうち底面を除く部分、または、（４）収納部のうち底面及び使用者に当接する領域を除く部分は通水性を有する素材からつくられているため、収納スペースの内部に入り込んだ水分はそれらの何れかを通過して、収納部から大気中に放出される。このため、収納スペースの内部に水分が溜まることはなく、収納スペースの内部に収納した金属製の工具類その他の金属製物品が錆びることを防止することができる。
【発明を実施するための最良の形態】
【００２３】
（第一の実施形態）
図１は、本発明の第一の実施形態に係るツールホルダー１００の縦断面図である。
【００２４】
ツールホルダー１００は図５に示した従来のツールホルダー１の外観と同様の外観を有している。
【００２５】
すなわち、本実施形態に係るツールホルダー１００は、ホルダ本体１０２を有しており、ホルダ本体１０２は装着部１０３とホルダ部１０４とを有している。
【００２６】
ホルダ部１０４は、上部が開口しており、工具類その他の物品を収納する収納スペース１０７を有している。収納スペース１０７の外側には、メッシュ材からなる収納ポケット１０５が設けられている。
【００２７】
装着部１０３は、ホルダ本体１０２の長手方向における上端側を折り曲げて、ホルダ本体１０２の反対面側にリベットその他の固定手段１０６により固定され、扁平なループを形成している。
【００２８】
ホルダ本体１０２ひいてはホルダ部１０４の底面１０４ａは通水性を有する素材からつくられている。
【００２９】
ホルダ部１０４の底面１０４ａの素材は、素材それ自体が通水性を有するものであってもよく、あるいは、素材それ自体は通水性を有していないが、素材に多数の小孔をあけることにより、物理的に通水性を確保した素材であってもよい。
【００３０】
ホルダ部１０４の底面１０４ａ上には、通水性及び剛性を有する底面部材１１０が配置されている。
【００３１】
底面部材１１０の素材は、ホルダ部１０４の底面１０４ａと同様に、素材それ自体が通水性を有するものであってもよく、あるいは、素材それ自体は通水性を有していないが、素材に多数の小孔をあけることにより、物理的に通水性を確保した素材であってもよい。後者の例としては、ポリエチレン、発泡ポリウレタン、ポリ塩化ビニルなどの素材に多数の小孔を設けたものを挙げることができる。
【００３２】
底面部材１１０の素材としては剛性を有するものが選択される。底面部材１１０の形状はホルダ部１０４（あるいは、収納スペース１０７）の横断面とほぼ同じ形状をなしている。底面部材１１０が剛性を有することにより、ホルダ部１０４の底面の形状がほぼ同一の形状に維持される。
【００３３】
なお、底面部材１１０はホルダ部１０４の底面上に単に載置されていれば十分であるが、底面部材１１０をホルダ部１０４の底面に固着することも可能である。底面部材１１０のホルダ部１０４の底面への固着は、例えば、接着剤を用いて行う。この場合、底面部材１１０の全面にわたって接着剤を塗布することはせず、底面部材１１０の外縁のみに接着剤を塗布し、ホルダ部１０４の底面上に貼り付ける。底面部材１１０の外縁のみに接着剤を塗布することにより、底面部材１１０の通水性が阻害されることを防止することができる。
【００３４】
以上のような構造を有する本実施形態に係るツールホルダー１００は次のように用いられる。
【００３５】
ホルダ部１０４が形成している収納スペース１０７には、金属製の工具類その他の各種物品が収納される。収納スペース１０７の内部には、雨水その他の水分が入り込むことがあるが、底面部材１１０及びホルダ部１０４の底面１０４ａの各々は通水性を有する素材からつくられているため、収納スペース１０７の内部に入り込んだ水分は底面部材１１０及びホルダ部１０４の底面１０４ａを通過して、ホルダ部１０４の底面１０４ａから大気中に放出される。このため、収納スペース１０７の内部に水分が溜まることはなく、収納スペース１０７の内部に収納した金属製の工具類その他の金属製物品が錆びることを防止することができる。
【００３６】
なお、本実施形態においては、ホルダ部１０４の底面１０４ａを通水性を有する素材から形成したが、ホルダ部１０４の全体を通水性を有する素材から形成することも可能である。
【００３７】
（第二の実施形態）
図２は、本発明の第二の実施形態に係るツールホルダー２００の縦断面図である。
【００３８】
ツールホルダー２００は図５に示した従来のツールホルダー１の外観と同様の外観を有している。図２においては、図１に示した第一の実施形態に係るツールホルダー１００と同一の構成要素には同一の参照符号を付してある。
【００３９】
本実施形態に係るツールホルダー２００は、第一の実施形態に係るツールホルダー１００と比較して、カバー部材２１０をさらに備えている。
【００４０】
カバー部材２１０は通水性を有する素材からなり、底面部材１１０とほぼ同一の形状を有しており、底面部材１１０上に配置されている。
【００４１】
本実施形態に係るツールホルダー２００によっても、第一の実施形態に係るツールホルダー１００と同様に、カバー部材２１０、底面部材１１０及びホルダ部１０４の底面１０４ａの各々は通水性を有する素材からつくられているため、収納スペース１０７の内部に入り込んだ水分はカバー部材２１０、底面部材１１０及びホルダ部１０４の底面１０４ａを通過して、ホルダ部１０４の底面１０４ａの底面から大気中に放出される。このため、収納スペース１０７の内部に水分が溜まることはなく、収納スペース１０７の内部に収納した金属製の工具類その他の金属製物品が錆びることを防止することができる。
【００４２】
さらに、底面部材１１０はカバー部材２１０によって覆われるため、底面部材１１０が露出することはなく、収納スペース１０７は同一の素材（すなわち、ホルダ部１０４及びカバー部材２１０をなす素材）により囲まれることになる。従って、カバー部材２１０がなく底面部材１１０が露出している第一の実施形態に係るツールホルダー１００と比較して、収納スペース１０７の内部の美観を向上させることができる。
【００４３】
なお、カバー部材２１０は底面部材１１０上に単に載置してもよく、あるいは、底面部材１１０に固着することも可能である。カバー部材２１０の底面部材１１０への固着は、例えば、接着剤を用いて行う。この場合、カバー部材２１０の全面にわたって接着剤を塗布することはせず、カバー部材２１０の外縁のみに接着剤を塗布し、底面部材１１０の表面上に貼り付ける。カバー部材２１０の外縁のみに接着剤を塗布することにより、カバー部材２１０の通水性が阻害されることを防止することができる。
【００４４】
なお、本実施形態に係るツールホルダー２００においては、ホルダ部１０４の底面１０４ａのみならず、ホルダ部１０４を含むホルダ本体１０２を通水性を有する素材から形成し、さらに、カバー部材２１０をホルダ本体１０２と同一の素材から形成することも可能である。
【００４５】
（第三の実施形態）
本実施形態に係るツールホルダーは第一の実施形態に係るツールホルダー１００の外観と同様の外観を有している。
【００４６】
第一の実施形態に係るツールホルダー１００においては、ホルダ部１０４の底面１０４ａは通水性を有する素材からつくられており、底面１０４ａ以外のホルダ部１０４の領域の通水性の有無は問われない。
【００４７】
これに対して、第三の実施形態においては、ホルダ部１０４の底面１０４ａは通水性を有さず、底面１０４ａ以外のホルダ部１０４の領域が通水性を有している。
【００４８】
本実施形態に係るツールホルダーによれば、収納スペース１０７の内部に入り込んだ雨水その他の水分は底面１０４ａ以外のホルダ部１０４の領域を通過して、ホルダ部１０４から大気中に放出される。このため、第一の実施形態に係るツールホルダー１００と同様に、収納スペース１０７の内部に水分が溜まることはなく、収納スペース１０７の内部に収納した金属製の工具類その他の金属製物品が錆びることを防止することができる。
【００４９】
（第四の実施形態）
図３は、本発明の第四の実施形態に係るツールホルダー３００の縦断面図である。
【００５０】
図３においては、図１に示した第一の実施形態に係るツールホルダー１００と同一の構成要素には同一の参照符号を付してある。
【００５１】
本実施形態に係るツールホルダー３００は、第一の実施形態に係るツールホルダー１００と比較して、底面部材１１０を備えていない。さらに、本実施形態に係るツールホルダー３００においては、ホルダ部１０４の底面１０４ａは通水性を有しない素材からつくられているとともに、ホルダ部１０４の底面１０４ａ以外の領域は通水性を有する素材からつくられている。
【００５２】
本実施形態に係るツールホルダー３００によっても、第三の実施形態に係るツールホルダーと同様の効果を得ることができる。
【００５３】
（第五の実施形態）
図４は、本発明の第五の実施形態に係るツールホルダー４００の縦断面図である。
【００５４】
図４においては、図１に示した第一の実施形態に係るツールホルダー１００と同一の構成要素には同一の参照符号を付してある。
【００５５】
本実施形態に係るツールホルダー４００は、第四の実施形態に係るツールホルダー３００と比較して、ホルダ部１０４のうちツールホルダー使用者に当接する領域１０４ｂのみ、通水性を有しない素材からつくられている点のみが異なる。
【００５６】
本実施形態に係るツールホルダー４００によれば、収納スペース１０７の内部に入り込んだ雨水その他の水分は領域１０４ｂ以外のホルダ部１０４の領域を通過して、ホルダ部１０４から大気中に放出される。このため、ツールホルダー使用者がホルダ部１０４を通過してきた水分によって濡れることを防止することができる。
【産業上の利用可能性】
【００５７】
上述の本発明の各実施形態においては、上部が開口しているツールホルダー１００、２００、３００、４００を例として用いたが、本発明の適用対象であるツールホルダーはこれらのツールホルダー１００、２００、３００、４００には限定されない。
【００５８】
例えば、ツールホルダー１００、２００、３００、４００の上部に開閉可能な蓋部材を設けることが可能である。
【００５９】
あるいは、ツールホルダー１００、２００、３００、４００の上部に開閉可能な蓋部材を設け、さらに、装着部１０３に代えて把っ手を形成することにより、ツールホルダー１００、２００、３００、４００を手提げカバン状に形成することもできる。
【図面の簡単な説明】
【００６０】
【図１】本発明の第一の実施形態に係るツールホルダーの縦断面図である。
【図２】本発明の第二の実施形態に係るツールホルダーの縦断面図である。
【図３】本発明の第三の実施形態に係るツールホルダーの縦断面図である。
【図４】本発明の第四の実施形態に係るツールホルダーの縦断面図である。
【図５】従来のツールホルダーの斜視図である。
【図６】図５に示したツールホルダーの縦断面図である。
【符号の説明】
【００６１】
１００  本発明の第一の実施形態に係るツールホルダー
１０２  ホルダ本体
１０３  装着部
１０４  ホルダ部
１０４ａ  ホルダ部の底面
１０５  収納ポケット
１０６  リベット
１０７  収納スペース
１１０  底面部材
２００  本発明の第二の実施形態に係るツールホルダー
２１０  カバー部材
３００  本発明の第四の実施形態に係るツールホルダー
４００  本発明の第五の実施形態に係るツールホルダー
【図１】
2007130717.tif 000003
【図２】
2007130717.tif 000004
【図３】
2007130717.tif 000005
【図４】
2007130717.tif 000006
【図５】
2007130717.tif 000007
【図６】
2007130717.tif 000008